(57)【要約】【課題】複数の画面を順次切り換えてディスプレイ等の表示部に表示させる場合に、各画面上のデータの確認及び取り扱いを容易にする。【解決手段】複数の画面を電子機器の表示部と、操作者による操作で１以上の項目の設定値の変更が可能な複数の各画面を切り換えて表示部に表示させる表示制御部と、各画面のいずれかが表示部に表示されているときに、当該表示されている画面における各項目の設定値を変更する指示を、操作者から受け付ける設定変更受付部とを備え、表示制御部は、設定変更受付部で受け付けられた設定変更指示により、複数の画面のいずれかにおける項目の設定値が変更された後に、当該表示中の画面から他の画面に切り換えて表示させる場合、設定値が変更された画面において直近に設定値が変更された項目の表示部分を、表示切換後の前記他の画面に透過させて表示させる。【選択図】図４
2008165397.tif 000002
【特許請求の範囲】
【請求項１】
アプリケーションの画面を電子機器の表示部に表示させる表示制御プログラムであって、
操作者による操作で１以上の項目の設定値の変更が可能な複数のアプリケーションの各画面を切り換えて前記表示部に表示させる表示制御手段と、
前記表示制御手段によって前記複数のアプリケーションのいずれかの画面が前記表示部に表示されているときに、当該表示されているアプリケーションの画面における前記各項目の設定値を変更する指示を、操作者から受け付ける設定変更受付手段とを備え、
前記表示制御手段は、前記設定変更受付手段で受け付けられた設定変更指示により、前記表示中のアプリケーションの画面における項目の設定値が変更された後に、当該表示中のアプリケーションの画面から他のアプリケーションの画面に切り換えて表示させる場合、前記設定値が変更されたアプリケーションの画面で直近に設定値が変更された項目の表示部分を、表示切換後の前記他のアプリケーションの画面に透過させて表示させるように、電子機器を機能させる表示制御プログラム。
【請求項２】
複数の画面を電子機器の表示部に表示させる表示制御プログラムであって、
操作者による操作で１以上の項目の設定値の変更が可能な前記複数の各画面を切り換えて前記表示部に表示させる表示制御手段と、
前記表示制御手段によって前記各画面のいずれかが前記表示部に表示されているときに、当該表示されている画面における前記各項目の設定値を変更する指示を、操作者から受け付ける設定変更受付手段とを備え、
前記表示制御手段は、前記設定変更受付手段で受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させるように、電子機器を機能させる表示制御プログラム。
【請求項３】
前記表示切換の時点で既に設定値が変更されている項目のうち、直近で何番目までに変更された項目を前記透過表示させるかの指示を操作者から受け付ける表示指示受付手段を更に備え、
前記表示制御手段が、前記表示切換を行う場合に、前記表示指示受付手段によって受け付けられた指示が示す各項目を前記透過表示させるように、電子機器を機能させる請求項１又は請求項２に記載の表示制御プログラム。
【請求項４】
アプリケーションの画面を電子機器の表示部に表示させる表示制御プログラムであって、
複数のアプリケーションの各画面を切り換えて前記表示部に表示させると共に、各画面の切り換え時に、それまで表示させていたアプリケーションの画面における予め定められた箇所を、表示切換後のアプリケーションの画面に透過させて表示させる表示制御手段を備えるように、電子機器を機能させる表示制御プログラム。
【請求項５】
複数の画面を電子機器の表示部に表示させる表示制御プログラムであって、
前記複数の各画面を切り換えて前記表示部に表示させると共に、各画面の切り換え時に、それまで表示させていた画面における予め定められた箇所を、表示切換後の画面に透過させて表示させる表示制御手段を備えるように、電子機器を機能させる表示制御プログラム。
【請求項６】
前記切換前の画面において透過表示させる箇所を特定する指示を操作者から受け付ける表示箇所受付手段を更に備え、
前記表示制御手段が、前記各画面の切り換え時に、それまで表示させていた画面における前記表示箇所受付手段で受け付けられた指示が示す箇所を、切り換え後の画面に透過させて表示させるように、電子機器を機能させる請求項４又は請求項５に記載の表示制御プログラム。
【請求項７】
前記表示制御手段が、前記表示切換後の画面において、前記表示切換前の画面と関連性を有するデータがある場合に、前記表示切換前の画面における当該関連性のあるデータ表示部分を、前記予め定められた箇所として前記透過表示させるように、電子機器を機能させる請求項４又は請求項５に記載の表示制御プログラム。
【請求項８】
前記表示制御手段が、前記表示切換後の画面に表示される移動処理又は複写処理がされたデータの元となった前記表示切換前の画面上のデータを、前記相互に関連性のあるデータとして前記透過表示させるように、電子機器を機能させる請求項７に記載の表示制御プログラム。
【請求項９】
前記表示制御手段が、前記表示切換後の画面における前記透過表示の対象となる部分又はその近傍部分が、前記表示切換後の画面でのデータ表示対象箇所となっている場合には、前記透過表示を行わず、当該表示切換後の画面で表示対象となっているデータを優先させて表示するように、電子機器を機能させる請求項１乃至請求項８のいずれかに記載の表示制御プログラム。
【請求項１０】
前記表示切換後の画面における前記優先表示部分の範囲を指定する指示を操作者から受け付ける範囲指定指示受付手段を更に備え、
前記表示制御手段が、前記表示切換を行う場合に、前記範囲指定指示受付手段によって受け付けられた指示が示す範囲には、前記透過表示を行わせないように、電子機器を機能させる請求項９に記載の表示制御プログラム。
【請求項１１】
前記表示箇所受付手段が、操作者から指定された表示形態からなる表示部分を、前記透過表示させる予め定められた箇所として受け付けるように、電子機器を機能させる請求項４又は請求項５に記載の表示制御プログラム。
【請求項１２】
前記表示制御手段が、前記各画面にそれぞれ付された優先順位情報を有し、前記表示切換により前記各画面同士を重ねて表示させる場合、それまで表示させていた画面の優先順位が、切り換え後に表示させる画面の優先順位よりも上位である場合に、前記透過表示を行わせるように、電子機器を機能させる請求項１乃至請求項１１のいずれかに記載の表示制御プログラム。
【請求項１３】
前記優先順位を設定する指示を操作者から受け付ける優先順位受付手段を更に備え、
前記表示制御手段が、前記表示切換時に、前記優先順位受付手段によって受け付けられた指示の示す優先順位が、前記表示切り換え前の画面の方が前記表示切り換え後の画面よりも上位である場合に前記透過表示を行わせるように、電子機器を機能させる請求項１２に記載の表示制御プログラム。
【請求項１４】
前記表示制御手段が、前記表示切換後の画面における前記透過表示の対象となる箇所が、予め設定されている箇所である場合に、前記透過表示を行わせるように、電子機器を機能させる請求項１乃至請求項１３のいずれかに記載の表示制御プログラム。
【請求項１５】
前記表示制御手段が、前記透過表示を、予め設定されている時間で行わせるように、電子機器を機能させる請求項１乃至請求項１４のいずれかに記載の表示制御プログラム。
【請求項１６】
前記表示制御手段が、前記透過表示を行う部分の表示形態を、それ以外の領域と異ならせるように、電子機器を機能させる請求項１乃至１５のいずれかに記載の表示制御プログラム。
【請求項１７】
前記表示制御手段が、前記透過表示を伴う複数の画面を重ねて表示する際に、下位層の画面から上位層の画面に向かうに連れて各画面における前記透過表示部分の明度を高くして表示するように、電子機器を機能させる請求項１乃至１６のいずれかに記載の表示制御プログラム。
【請求項１８】
複数の画面を表示する表示部と、
操作者による操作で１以上の項目の設定値の変更が可能な前記複数の各画面を切り換えて前記表示部に表示させる表示制御手段と、
前記表示制御手段によって前記各画面のいずれかが前記表示部に表示されているときに、当該表示されている画面における前記各項目の設定値を変更する指示を、操作者から受け付ける設定変更受付手段とを備え、
前記表示制御手段は、前記設定変更受付手段で受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させる表示制御装置。
【請求項１９】
複数の画面を電子機器の表示部に表示させる表示制御方法であって、
操作者による操作で１以上の項目の設定値の変更が可能な前記複数の各画面を切り換えて前記表示部に表示させる第１ステップと、
前記第１ステップによって前記各画面のいずれかが前記表示部に表示されているときに、当該表示されている画面における前記各項目の設定値を変更する指示を、操作者から受け付ける第２ステップと、
前記第２ステップで受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させる第３ステップと
を備える表示制御方法。
【請求項２０】
複数の画面を電子機器の表示部に表示させる表示制御装置であって、
前記複数の各画面を切り換えて前記表示部に表示させると共に、各画面の切り換え時に、それまで表示させていた画面における予め定められた箇所を、表示切換後の画面に透過させて表示させる表示制御手段を備える表示制御装置。
【請求項２１】
複数の画面を電子機器の表示部に表示させる表示制御方法であって、
前記複数の各画面を切り換えて前記表示部に表示させると共に、各画面の切り換え時に、それまで表示させていた画面における予め定められた箇所を、表示切換後の画面に透過させて表示させる表示制御方法。
【発明の詳細な説明】
【技術分野】
【０００１】
本発明は、表示制御プログラム、表示制御装置、及び表示制御方法に関し、特に、表示装置に複数画面を順次切り換えて表示させる技術に関するものである。
【背景技術】
【０００２】
従来から、パーソナルコンピュータ等では、複数のアプリケーションを同時に起動させておき、ディスプレイには、複数のアプリケーションの画面を順次切り換えて表示させる技術が採用されている。そして、操作者にとって、操作の仕方やデータ処理が簡単になるようにディスプレイ表示をさせる技術が提案されている。この技術が適用される例として、下記特許文献１に示されるファイルデータプリント出力方法がある。このファイルデータプリント出力方法は、パーソナルコンピュータ上で、アプリケーションソフトウエアにより編集中のファイルデータを画像形成装置に出力する際に、モニタ画面のタスクバー上に表示される第１プリンタアイコン２０１から、画像形成装置の各オプション機能を示す部分２０２Ａ〜２０２Ｈで構成される第２プリンタアイコン２０２がプルダウンされるようにし、当該プルダウン表示のいずれかの部分を操作者がポインタでクリックすると、当該パーソナルコンピュータが、現在編集中のファイルデータと共に、指示された部分に対応する機能の実行指示を画像形成装置に出力するものである。
【特許文献１】特開２００３−３１６５３６号公報
【発明の開示】
【発明が解決しようとする課題】
【０００３】
一般に、ディスプレイに複数のアプリケーションの画面が表示されているときに、操作者が表示中のアプリケーション画面から、他のアプリケーション画面に表示を切り換えて操作を行う場合、当該他のアプリケーション画面に切り換えた後は、表示切換前のアプリケーション画面に表示されていたデータを確認することはできない。すなわち、表示切換後のアプリケーション画面は、表示切換前のアプリケーション画面の上に重なるようにして表示され、操作者は、表示切換前のアプリケーション画面に表示されていたデータを、ディスプレイ上で視認できなくなる。そのため、操作者は、表示切換前のアプリケーション画面に表示されていたデータを確認したい場合は、再度、元のアプリケーション画面に表示を切り換える操作を行って、ディスプレイに元のアプリケーション画面を表示させなければならなかった。上記特許文献１に示されているファイルデータプリント出力方法は、画像形成装置の機能を簡単かつ確実に選択できるが、当該表示画面の切り換え時における各画面上のデータの確認及び取り扱いが不便であるという問題を解決できていない。
【０００４】
本発明は、上記の問題を解決するためになされたもので、複数の画面を順次切り換えてディスプレイ等の表示部に表示させる場合に、各画面上のデータの確認及び取り扱いを容易にすることを目的とする。
【課題を解決するための手段】
【０００５】
本発明の請求項１に記載の発明は、アプリケーションの画面を電子機器の表示部に表示させる表示制御プログラムであって、
操作者による操作で１以上の項目の設定値の変更が可能な複数のアプリケーションの各画面を切り換えて前記表示部に表示させる表示制御手段と、
前記表示制御手段によって前記複数のアプリケーションのいずれかの画面が前記表示部に表示されているときに、当該表示されているアプリケーションの画面における前記各項目の設定値を変更する指示を、操作者から受け付ける設定変更受付手段とを備え、
前記表示制御手段は、前記設定変更受付手段で受け付けられた設定変更指示により、前記表示中のアプリケーションの画面における項目の設定値が変更された後に、当該表示中のアプリケーションの画面から他のアプリケーションの画面に切り換えて表示させる場合、前記設定値が変更されたアプリケーションの画面で直近に設定値が変更された項目の表示部分を、表示切換後の前記他のアプリケーションの画面に透過させて表示させるように、電子機器を機能させるものである。
【０００６】
また、請求項２に記載の発明は、複数の画面を電子機器の表示部に表示させる表示制御プログラムであって、
操作者による操作で１以上の項目の設定値の変更が可能な前記複数の各画面を切り換えて前記表示部に表示させる表示制御手段と、
前記表示制御手段によって前記各画面のいずれかが前記表示部に表示されているときに、当該表示されている画面における前記各項目の設定値を変更する指示を、操作者から受け付ける設定変更受付手段とを備え、
前記表示制御手段は、前記設定変更受付手段で受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させるように、電子機器を機能させるものである。
【０００７】
また、請求項１８に記載の発明は、複数の画面を表示する表示部と、
操作者による操作で１以上の項目の設定値の変更が可能な前記複数の各画面を切り換えて前記表示部に表示させる表示制御手段と、
前記表示制御手段によって前記各画面のいずれかが前記表示部に表示されているときに、当該表示されている画面における前記各項目の設定値を変更する指示を、操作者から受け付ける設定変更受付手段とを備え、
前記表示制御手段は、前記設定変更受付手段で受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させる表示制御装置である。
【０００８】
また、請求項１９に記載の発明は、複数の画面を電子機器の表示部に表示させる表示制御方法であって、
操作者による操作で１以上の項目の設定値の変更が可能な前記複数の各画面を切り換えて前記表示部に表示させる第１ステップと、
前記第１ステップによって前記各画面のいずれかが前記表示部に表示されているときに、当該表示されている画面における前記各項目の設定値を変更する指示を、操作者から受け付ける第２ステップと、
前記第２ステップで受け付けられた設定変更指示により、前記複数の画面のいずれかにおける項目の設定値が変更された後に、当該表示中の画面から他の画面に切り換えて表示させる場合、前記設定値が変更された画面において直近に設定値が変更された項目の表示部分を、表示切換後の前記他の画面に透過させて表示させる第３ステップと
を備えるものである。
【０００９】
これらの構成によれば、操作者が、電子機器の表示部の表示を、表示中の画面から他の画面に切り換える場合、表示中の画面で直近に設定値が変更された項目の表示部分が、切換後に表示される他の画面において透過して表示されるので、複数の画面を順次切り換えて電子機器の表示部に表示する場合であっても、表示切換前の画面上で直近に変更された設定値の確認及び取り扱いが容易になる。
【００１０】
また、請求項３に記載の発明は、請求項１又は請求項２に記載の表示制御プログラムであって、前記表示切換の時点で既に設定値が変更されている項目のうち、直近で何番目までに変更された項目を前記透過表示させるかの指示を操作者から受け付ける表示指示受付手段を更に備え、
前記表示制御手段が、前記表示切換を行う場合に、前記表示指示受付手段によって受け付けられた指示が示す各項目を前記透過表示させるように、電子機器を機能させるものである。
【００１１】
この構成によれば、表示制御手段が、表示部の画面表示切換を行う場合に、直近に変更された複数の項目が透過表示されるので、操作者は、透過表示される項目の個数や変更された時間的範囲を所望の通りに設定することができる。
【００１２】
また、請求項４に記載の発明は、アプリケーションの画面を電子機器の表示部に表示させる表示制御プログラムであって、
複数のアプリケーションの各画面を切り換えて前記表示部に表示させると共に、各画面の切り換え時に、それまで表示させていたアプリケーションの画面における予め定められた箇所を、表示切換後のアプリケーションの画面に透過させて表示させる表示制御手段を備えるように、電子機器を機能させるものである。
【００１３】
また、請求項５に記載の発明は、複数の画面を電子機器の表示部に表示させる表示制御プログラムであって、
前記複数の各画面を切り換えて前記表示部に表示させると共に、各画面の切り換え時に、それまで表示させていた画面における予め定められた箇所を、表示切換後の画面に透過させて表示させる表示制御手段を備えるように、電子機器を機能させるものである。
【００１４】
また、請求項２０に記載の発明は、複数の画面を電子機器の表示部に表示させる表示制御装置であって、
前記複数の各画面を切り換えて前記表示部に表示させると共に、各画面の切り換え時に、それまで表示させていた画面における予め定められた箇所を、表示切換後の画面に透過させて表示させる表示制御手段を備えるものである。
【００１５】
また、請求項２１に記載の発明は、複数の画面を電子機器の表示部に表示させる表示制御方法であって、
前記複数の各画面を切り換えて前記表示部に表示させると共に、各画面の切り換え時に、それまで表示させていた画面における予め定められた箇所を、表示切換後の画面に透過させて表示させるものである。
【００１６】
これらの構成によれば、電子機器の表示部で複数の各画面を切り換えて表示するときに、それまで表示させていた画面における予め定められた箇所を、表示切換後の画面に透過させて表示させるので、複数の画面を順次切り換えて電子機器の表示部に表示する場合であっても、表示切換後の画面において、表示切換前の画面表示の一部の確認や取り扱いが容易になる。
【００１７】
また、請求項６に記載の発明は、請求項４又は請求項５に記載の表示制御プログラムであって、前記切換前の画面において透過表示させる箇所を特定する指示を操作者から受け付ける表示箇所受付手段を更に備え、
前記表示制御手段が、前記各画面の切り換え時に、それまで表示させていた画面における前記表示箇所受付手段で受け付けられた指示が示す箇所を、切り換え後の画面に透過させて表示させるように、電子機器を機能させるものである。
【００１８】
この構成によれば、表示切換前の画面における操作者が所望する箇所を、表示切換後の画面において透過表示されるように設定することができる。
【００１９】
また、請求項７に記載の発明は、請求項４又は請求項５に記載の表示制御プログラムであって、前記表示制御手段が、前記表示切換後の画面において、前記表示切換前の画面と関連性を有するデータがある場合に、前記表示切換前の画面における当該関連性のあるデータ表示部分を、前記予め定められた箇所として前記透過表示させるように、電子機器を機能させるものである。
【００２０】
この構成によれば、表示切換前の画面における関連性のあるデータ表示部分を、表示切換後の画面に透過表示させるので、複数の画面を順次切り換えて電子機器の表示部に表示する場合であっても、操作者は、画面の切り換え前後で互いに関連するデータを容易に確認し、又は取り扱うことが可能になる。
【００２１】
また、請求項８に記載の発明は、請求項７に記載の表示制御プログラムであって、前記表示制御手段が、前記表示切換後の画面に表示される移動処理又は複写処理がされたデータの元となった前記表示切換前の画面上のデータを、前記相互に関連性のあるデータとして前記透過表示させるように、電子機器を機能させるものである。
【００２２】
この構成によれば、移動処理又は複写処理の元となった表示切換前の画面上のデータを、表示切換後の画面に透過表示させるので、操作者は、表示画面を前の画面を戻す操作を行うことなく、前の画面における移動処理又は複写処理の元のデータを容易に確認し又は取り扱うことが可能になる。
【００２３】
また、請求項９に記載の発明は、請求項１乃至請求項８のいずれかに記載の表示制御プログラムであって、前記表示制御手段が、前記表示切換後の画面における前記透過表示の対象となる部分又はその近傍部分が、前記表示切換後の画面でのデータ表示対象箇所となっている場合には、前記透過表示を行わず、当該表示切換後の画面で表示対象となっているデータを優先させて表示するように、電子機器を機能させるものである。
【００２４】
この構成によれば、表示制御手段が、表示切換後の画面においてデータが表示される箇所又はその近傍には上記透過表示を行わず、当該表示切換後の画面で表示するデータを優先的に表示するので、表示切換後の画面で表示するデータが、上記透過表示によって表示されなくなって操作者が当該データを把握できないといった事態を回避することができる。
【００２５】
また、請求項１０に記載の発明は、請求項９に記載の表示制御プログラムであって、前記表示切換後の画面における前記優先表示部分の範囲を指定する指示を操作者から受け付ける範囲指定指示受付手段を更に備え、
前記表示制御手段が、前記表示切換を行う場合に、前記範囲指定指示受付手段によって受け付けられた指示が示す範囲には、前記透過表示を行わせないように、電子機器を機能させるものである。
【００２６】
この構成によれば、操作者は、範囲指定指示受付手段により、表示切換後の画面における、上記透過表示を行わずに当該表示切換後の画面上のデータを優先的に表示する範囲を所望通りに指定できる。
【００２７】
また、請求項１１に記載の発明は、請求項４又は請求項５に記載の表示制御プログラムであって、前記表示箇所受付手段が、操作者から指定された表示形態からなる表示部分を、前記透過表示させる予め定められた箇所として受け付けるように、電子機器を機能させるものである。
【００２８】
この構成によれば、操作者は、表示箇所受付手段により、表示切換前の画面において特定の表示形態で表示される箇所を、表示切換後の画面において透過表示されるように、所望通りに指定できる。
【００２９】
また、請求項１２に記載の発明は、請求項１乃至請求項１１のいずれかに記載の表示制御プログラムであって、前記表示制御手段が、前記各画面にそれぞれ付された優先順位情報を有し、前記表示切換により前記各画面同士を重ねて表示させる場合、それまで表示させていた画面の優先順位が、切り換え後に表示させる画面の優先順位よりも上位である場合に、前記透過表示を行わせるように、電子機器を機能させるものである。
【００３０】
この構成によれば、上記優先順位に基づいて、表示切換後の画面上のデータの視認性を確保しつつ、透過表示による表示切換前の画面上のデータの確認又は取り扱いを容易にすることができる。
【００３１】
また、請求項１３に記載の発明は、請求項１２に記載の表示制御プログラムであって、前記優先順位を設定する指示を操作者から受け付ける優先順位受付手段を更に備え、
前記表示制御手段が、前記表示切換時に、前記優先順位受付手段によって受け付けられた指示の示す優先順位が、前記表示切り換え前の画面の方が前記表示切り換え後の画面よりも上位である場合に前記透過表示を行わせるように、電子機器を機能させるものである。
【００３２】
この構成によれば、操作者は、優先順位受付手段により、各画面同士の重ね表示時に、上記透過表示をさせるか否かを所望通りに設定できる。
【００３３】
また、請求項１４に記載の発明は、請求項１乃至請求項１３のいずれかに記載の表示制御プログラムであって、前記表示制御手段が、前記表示切換後の画面における前記透過表示の対象となる箇所が、予め設定されている箇所である場合に、前記透過表示を行わせるように、電子機器を機能させるものである。
【００３４】
この構成によれば、表示制御手段が、表示切換後の画面において、予め設定されている箇所にのみ透過表示を許可するので、透過表示を行わせる箇所と、透過表示を行わせない箇所とに振り分けることが可能になる。
【００３５】
また、請求項１５に記載の発明は、請求項１乃至請求項１４のいずれかに記載の表示制御プログラムであって、前記表示制御手段が、前記透過表示を、予め設定されている時間で行わせるように、電子機器を機能させるものである。
【００３６】
この構成によれば、表示制御手段が、表示切換後の画面において、予め設定されている時間だけ透過表示を行うので、透過表示を行わせる時間を制御可能になる。
【００３７】
また、請求項１６に記載の発明は、請求項１乃至１５のいずれかに記載の表示制御プログラムであって、前記表示制御手段が、前記透過表示を行う部分の表示形態を、それ以外の領域と異ならせるように、電子機器を機能させるものである。
【００３８】
この構成によれば、透過表示を行う部分の表示形態が、それ以外の領域と異なるので、上記透過表示部分が、表示切換後の画面において取り扱われているデータではなく、表示切換前の画面のデータであることを操作者が認識し易い。
【００３９】
また、請求項１７に記載の発明は、請求項１乃至１６のいずれかに記載の表示制御プログラムであって、前記表示制御手段が、前記透過表示を伴う複数の画面を重ねて表示する際に、下位層の画面から上位層の画面に向かうに連れて各画面における前記透過表示部分の明度を高くして表示するように、電子機器を機能させるものである。
【００４０】
この構成によれば、透過表示を伴う複数の画面を重ねて表示される際に、下位層の画面から上位層の画面に向かうに連れて各画面における前記透過表示部分の明度が高く表示されるので、操作者は、透過表示部分の明度に基づいて、当該透過表示部分で示されるデータをいずれの画面で処理したか、どの程度前に操作した画面で処理したデータであるか等、当該透過表示部分で示されるデータについての処理の履歴を知ることができる。
【発明の効果】
【００４１】
請求項１、請求項２、請求項１８及び請求項１９に記載の発明によれば、複数の画面を順次切り換えて電子機器の表示部に表示する場合であっても、表示切換前の画面上で直近に変更された設定値の確認及び取り扱いが容易になる。
【００４２】
請求項３に記載の発明によれば、操作者は、透過表示される項目の個数や変更された時間的範囲を所望の通りに設定することができる。
【００４３】
請求項４、請求項５、請求項２０及び請求項２１に記載の発明によれば、複数の画面を順次切り換えて電子機器の表示部に表示する場合であっても、表示切換後の画面において、表示切換前の画面表示の一部の確認や取り扱いが容易になる。これにより、切り換え前後の各画面上のデータの確認及び取り扱いが容易になる。
【００４４】
請求項６に記載の発明によれば、表示切換前の画面における操作者が所望する箇所を、表示切換後の画面において透過表示されるように設定することができる。
【００４５】
請求項７に記載の発明によれば、複数の画面を順次切り換えて電子機器の表示部に表示する場合であっても、操作者は、画面の切り換え前後で互いに関連するデータを容易に確認し、又は取り扱うことが可能になる。
【００４６】
請求項８に記載の発明によれば、操作者は、表示画面を前の画面を戻す操作を行うことなく、前の画面における移動処理又は複写処理の元のデータを容易に確認し又は取り扱うことが可能になる。
【００４７】
請求項９に記載の発明によれば、表示切換後の画面で表示するデータが、上記透過表示のために表示されなくなって、操作者が当該データを把握できないといった事態を回避することができる。これにより、表示切換後の画面上のデータの視認性を確保しつつ、透過表示による表示切換前の画面上のデータの確認又は取り扱いを容易にすることができる。
【００４８】
請求項１０に記載の発明によれば、操作者は、表示切換後の画面において、透過表示よりも当該表示切換後の画面上のデータを優先的に表示する範囲を所望通りに指定できる。
【００４９】
請求項１１に記載の発明によれば、操作者は、表示切換後の画面において透過表示が行われる箇所を所望通りに指定できる。
【００５０】
請求項１２に記載の発明によれば、上記優先順位に基づいて、表示切換後の画面上のデータの視認性を確保しつつ、透過表示による表示切換前の画面上のデータの確認又は取り扱いを容易にすることができる。
【００５１】
請求項１３に記載の発明によれば、操作者は、各画面同士の重ね表示時に上記透過表示をさせるか否かを所望通りに指定できる。
【００５２】
請求項１４に記載の発明によれば、表示切換後の画面において、透過表示を行わせる箇所と、透過表示を行わせない箇所とを振り分けることが可能になる。
【００５３】
請求項１５に記載の発明によれば、表示切換後の画面において透過表示が行われる時間を制御可能になる。
【００５４】
請求項１６に記載の発明によれば、操作者は、上記透過表示部分が、表示切換後の画面において取り扱われているデータではなく、表示切換前の画面のデータであることを容易に認識することができる。
【００５５】
請求項１７に記載の発明によれば、操作者は、透過表示部分の明度に基づいて、当該透過表示部分で示されるデータをいずれの画面で処理したか、どの程度前に操作した画面で処理したデータであるか等、当該透過表示部分で示されるデータについての処理の履歴を知ることができる。
【発明を実施するための最良の形態】
【００５６】
以下、本発明に係る表示制御プログラム、表示装置、及び表示制御方法の実施形態を図面に基づいて説明する。図１は、本発明の一実施形態に係る表示制御プログラムがインストールされたパーソナルコンピュータ（本発明に係る電子機器の一実施形態。以下、ＰＣ）の概略構成を示すブロック図である。
【００５７】
ＰＣ１は、ＬＡＮ（Local Area Network）ケーブル、又はセントロニクスインターフェイスなどのパラレルケーブルあるいはＲＳ−２３２Ｃなどのシリアルケーブル等により、プリンタ２０と接続され、ＰＣ１から出力された印刷データがプリンタ２０で記録用紙上に印刷されるようになっている。通信Ｉ／Ｆ１６０は、ＬＡＮインタフェイス、パラレルＩ／Ｆ部又はシリアルＩ／Ｆ部として機能する。プリンタ２０は、プリンタの他、ファクシミリ機能、プリンタ機能、コピー機能を兼ね備える複合機や、ファクシミリ装置等、プリンタ機能を備える種々の装置が含まれる。
【００５８】
ＰＣ１は、上記通信Ｉ／Ｆ１６０の他、ＣＰＵ１００、ＲＯＭ（リードオンリーメモリ）１１０、ＲＡＭ（ランダムアクセスメモリ）１２０、記録媒体読取装置１３０、操作部（入力装置）１４０、表示部１５０及び記憶装置２００を備えている。
【００５９】
ＲＯＭ１１０は、記憶装置２００や記録媒体読取装置１３０等の周辺機器を制御するための基本プログラムであるＢＩＯＳ（basic input/output system）等を記憶している。ＲＡＭ１２０は、ＣＰＵ１００の作業領域として使用され、種々のデータを一時的に記憶する。記録媒体読取装置１３０は、ＣＰＵ１００の制御の下、ＣＤ−ＲＯＭ、フレキシブルディスク、ＤＶＤ（digital versatile disk）等の記録媒体に記録された種々のデータを読み取る。
【００６０】
操作部１４０は、キーボード、マウス等を含み、ユーザの操作指令を受け付け、操作指令に応じた電気信号をＣＰＵ１００に出力する。表示部１５０は、液晶パネル又はＣＲＴ（陰極線管）等から構成され、ＣＰＵ１００の制御の下に種々の画像を表示する。
【００６１】
記憶装置２００は、例えばハードディスク等から構成され、パーソナルコンピュータを統括制御するための基本プログラムであるオペレーティングシステムや、本発明の一実施形態に係る表示制御プログラム等を記憶している。この表示制御プログラムは、表示部１５０に複数の画面（それぞれ異なるアプリケーションの画面でもよいし、１つのアプリケーション内に設けられた複数の画面でもよい。以下、同じ）を表示する際における各画面の表示切り換え処理をＣＰＵ１００に実行させるものである。表示制御プログラムは、ＣＤ−ＲＯＭやフレキシブルディスク等の記録媒体に記録されている場合は、この記録媒体を記録媒体読取装置１３０に装填してインストールすることで記憶装置２００に記憶される。また、表示制御プログラムがインターネット上のＷＥＢサーバに記憶されている場合は、ＷＥＢサーバから表示制御プログラムをダウンロードすることにより、当該プログラムが記憶装置２００に記憶されるようにしてもよい。
【００６２】
ＣＰＵ１００は、オペレーティングシステムの制御の下、上記表示制御プログラムを実行することで、表示制御部１０１（表示制御手段）、及び設定変更受付部（設定変更受付手段）１０２、表示指示受付部（表示指示受付手段）１０３、表示箇所受付部（表示箇所受付手段）１０４、範囲指定指示受付部（範囲指定指示受付手段）１０５、及び、優先順位受付部（優先順位受付手段）１０６として機能する。ＣＰＵ１００は、更に、制御部１０７、及び出力部１０８としても機能する。
【００６３】
表示制御部１０１は、表示部１５０の表示動作を制御する。表示制御部１０１は、操作者により操作部１４０に入力された指示に基づいて、１以上の項目の設定値の変更が可能とされる複数の画面を表示可能である。表示制御部１０１は、これら各画面を順次切り換えて表示部１５０に表示させる。
【００６４】
また、表示制御部１０１は、操作者による操作部１４０の操作で入力され、設定変更受付部１０２に受け付けられた設定変更指示に基づいて、上記複数の画面のいずれかに表示されている項目の設定値が変更された場合、この後、当該表示中の画面から他の画面に切り換えて表示させるときに、当該設定値が変更された画面（表示切換前の画面）において直近に設定値が変更された項目の表示部分を、当該他の画面（表示切換後の画面）に透過させて表示させる。この透過表示の詳細については後述する。
【００６５】
また、表示制御部１０１は、複数の各画面の切り換え時に、それまで表示させていた画面における予め定められた箇所を、表示切換後の画面に透過させて表示させる制御を行う。
【００６６】
設定変更受付部１０２は、表示制御部１０１によって上記複数画面のいずれかが表示部１５０に表示されているときに、当該表示されている画面における各項目の設定値を変更する指示を操作者から受け付ける。この設定値変更指示は、操作者による操作部１４０の操作で設定変更受付部１０２に入力される。
【００６７】
表示指示受付部１０３は、表示制御部１０１による表示画面切り換えの時点で既に設定値が変更されている項目のうち、直近で何番目までに変更された項目を上記透過表示させるかの指示を操作者から受け付ける。この設定値変更指示は、操作者による操作部１４０の操作で表示指示受付部１０３に入力される。表示制御部１０１は、上記各画面の表示切換を行う場合に、表示切り換え前の画面における、表示指示受付部１０３によって受け付けられた指示が示す各項目表示部分を、表示切り換え後の画面に対して透過させて表示させる。
【００６８】
表示箇所受付部１０４は、表示切換前の画面において上記透過表示を行わせる箇所を特定する指示を操作者から受け付ける。この設定値変更指示は、操作者による操作部１４０の操作で表示箇所受付部１０４に入力される。表示制御部１０１は、上記各画面の切り換え時に、透過表示を行う箇所を特定する指示が表示箇所受付部１０４に受け付けられている場合には、当該指示が示す表示切り換え前の画面における箇所を、切り換え後の画面に対して透過表示させる。
【００６９】
範囲指定指示受付部１０５は、表示切換後の画面において、上記透過表示を行わず、当該表示切換後の画面が表示対象としているデータを優先的に表示する優先表示範囲を指定する指示を操作者から受け付ける。この設定値変更指示は、操作者による操作部１４０の操作で範囲指定指示受付部１０５に入力される。表示制御部１０１は、上記各画面の表示切り換えを行う場合に、範囲指定指示受付部１０５に受け付けられた指示が示す範囲には上記透過表示を行わせない。
【００７０】
優先順位受付部１０６は、表示部１５０に表示する各画面についての表示優先順位を設定する指示を操作者から受け付ける。この設定指示は、操作者による操作部１４０の操作で優先順位受付部１０６に入力される。表示制御部１０１は、上記各画面の表示切換を行う場合に、優先順位受付部１０６に受け付けられた指示が示す優先順位に基づいて、上記透過表示を行わせるか否かを判断する。すなわち、表示制御部１０１は、各画面の表示切換時に、優先順位受付部１０６によって受け付けられた指示の示す優先順位が、表示切換前の画面の方が、表示切換後の画面よりも上位である場合に上記透過表示を行わせる。
【００７１】
制御部１０７は、ＰＣ１の全体的な動作制御を司ると共に、操作部１４０から操作者によって入力された指示に基づいて、印刷処理に必要な各種の制御を行う。また、出力部１０８は、図略のプリンタ印刷用データ変換部で印刷に必要なデータ変換処理がされた後のデータを、通信Ｉ／Ｆ１６０を介してプリンタ２０に出力させる。
【００７２】
なお、本発明の一実施形態に係る表示制御装置は、例えば、表示部１５０及びＣＰＵ１００（表示制御部１０１、設定変更受付部１０２、表示指示受付部１０３、表示箇所受付部１０４、範囲指定指示受付部１０５、及び優先順位受付部１０６のうちの必要な機能）を備えてなる。
【００７３】
次に、本発明の一実施形態に係る表示制御プログラムがインストールされた上記ＰＣ１による、画面表示切換制御の第１実施形態について説明する。図２は、ＰＣ１による画面表示切換処理の第１実施形態を示すフローチャートである。図３及び図４は表示部１５０の画面表示例を示す図である。
【００７４】
制御部１００が、例えば、ワードプロセッサと表計算ソフトの２つのアプリケーションを起動させており（Ｓ１）、図３に示すように、表示制御部１０１が表計算ソフトの画面Ｍを表示部１５０に表示させているとき（Ｓ２）、操作者による操作部１４０の操作で、設定変更受付部１０２に設定値の変更指示が受け付けられると（Ｓ３でＹＥＳ）、制御部１００は、当該変更指示に基づいて、設定変更の対象とされている項目の設定値を変更する（Ｓ４）。例えば、表計算ソフトの画面Ｍの表示中に、操作者によって、あるセル（項目）に新たな数値又は字句が入力された場合には、制御部１０７は、このセルの設定値を当該新たに入力された数値又は字句に変更する。
【００７５】
続いて、操作者による操作部１４０の操作で、アプリケーションの切換指示が入力されると（Ｓ５でＹＥＳ）、表示制御部１０１は、表示切換前のアプリケーションの画面（ここでは表計算ソフトの画面）で、設定値の変更がされていたか否かを判断する（Ｓ６）。例えば、上記のように、表示制御部１０１により表計算ソフトの画面が表示部１５０に表示されている状態で、タスクバーのワードプロセッサを示す表示部分が操作者によるマウス操作でクリックされると、表示制御部１０１は、上記設定値の変更がされていたか否かを判断する。
【００７６】
ここで、表示制御部１０１が、表示切換前のアプリケーションの画面で設定値の変更がされていないと判断した場合は（Ｓ６でＮＯ）、切換先として指示された他のアプリケーションの画面を表示部１５０に表示させる（Ｓ９）。例えば、表示制御部１０１は、表示部１５０の表示画面を、それまで表示させていた表計算ソフトの画面から、指示されたワードプロセッサの画面に切り換える。
【００７７】
一方、表示制御部１０１は、表示切換前のアプリケーションの画面で設定値の変更がされていると判断した場合（Ｓ６でＹＥＳ）、設定値が変更された項目であって、当該画面表示切換時からみて過去に直近ｎ番目（ｎは予め設定されている数値）までの項目を、表示切換後の画面に透過表示させた状態で、切換指示された切り換え先のアプリケーションの画面を表示部１５０に表示させる（Ｓ７）。例えば、表示制御部１０１は、図４に示すように、切換先となるワードプロセッサの画面Ｐを最上面として表示し、表示切換前の表計算ソフトの画面Ｍは非表示とするか、少なくともワードプロセッサの画面Ｐと重なる部分が非表示とするが、上記のように設定値の変更された項目（新たな数値又は字句が入力されたセル等）は、その表示部分をワードプロセッサの画面Ｐ上に、透過表示部分Ｎ’として表示させる。これにより、操作者にとっては、表計算ソフトの画面Ｍで新たな数値又は字句が入力されたセルが、ワードプロセッサの画面Ｐを透過して見えるようになる。
【００７８】
そして、表示制御部１０１は、制御部１００に内蔵されている図略のタイマにより、上記透過表示開始時からの時間経過を計測し、予め定められた時間（例えば、5sec〜600sec）が経過した時点で（Ｓ８でＹＥＳ）、上記切り換え表示後のアプリケーション画面における透過表示部分を非表示とし、切換先として指示されたアプリケーションの画面そのものを表示部１５０に表示させる（Ｓ９）。
【００７９】
なお、表示制御部１０１は、上記透過表示部分Ｎ’が、表示切換後の画面（上記例ではワードプロセッサの画面Ｐ）において取り扱われているデータではなく、表示切換前の画面（上記例では表計算ソフトの画面Ｍ）のデータであることを操作者が認識し易いように、透過表示部分Ｎ’を、枠で囲う、他部分と色を異ならせる、点滅表示とする、濃度を薄く（即ち明度を低くする）して下位層の画面（下側又は奥側の画面）であることを強調した表示とする等の装飾表示により、表示部１５０に表示させることがより好適である（以下、に示す各実施形態における透過表示部分について同じ）。
【００８０】
また、例えば、表示制御部１０１は、透過表示を伴う複数の画面を重ねて表示する際に、下位層の画面から上位層の画面に向かうに連れて、各画面における透過表示部分の明度を高くして（濃度を濃くして）表示するようにしてもよい。
【００８１】
次に、本発明の第２実施形態に係る表示切換処理について説明する。図５は、表示切換処理の第２実施形態を示すフローチャートである。図６（ａ）（ｂ）は表示部１５０の画面表示例を示す図である。なお、上記図２を用いて説明した第１実施形態と同様の処理は同符号を付して説明を省略する。
【００８２】
上記第１実施形態に係る切換表示制御では、表示制御部１０１が、異なるアプリケーションの画面を切換表示するが、第２実施形態に係る切換表示制御では、表示制御部１０１は、１つのアプリケーション内に設けられた複数の画面について画面表示切換処理を行う。
【００８３】
制御部１００が、例えば、単一のアプリケーション、例えば、表計算ソフトを起動させており（Ｓ１１）、図６（ａ）に示すように、表示制御部１０１が第１画面Ｒ１を表示部１５０に表示させているときに（Ｓ１２）、操作者による操作部１４０の操作で、別の画面への切り換え指示があると（Ｓ１５でＹＥＳ）、表示制御部１０１は、表示切換前の画面（ここでは第１画面Ｒ１）で、設定値の変更がされていたか否かを判断する（Ｓ１６）。例えば、表示制御部１０１により表計算ソフトの第１画面Ｒ１が表示部１５０に表示されている状態で、第２画面Ｒ２を示すタブＴ２の表示部分が操作者によるマウス操作でクリックされると、表示制御部１０１は、第１画面Ｒ１で上記設定値の変更がされていたか否かを判断する。
【００８４】
ここで、表示制御部１０１が、表示切換前の画面で設定値の変更がされていないと判断した場合は（Ｓ１６でＮＯ）、上述した透過表示を行うことなく、切換先として指示された他の画面を表示部１５０に表示させる（Ｓ１９）。例えば、表示制御部１０１は、表示部１５０の表示画面を、それまで表示されていた第１画面Ｒ１から、切換先として指示された第２画面Ｒ２に切り換える。
【００８５】
一方、表示制御部１０１は、表示切換前の画面で設定値の変更がされていると判断した場合（Ｓ１６でＹＥＳ）、設定値が変更された項目であって、当該画面表示切換時からみて過去に直近ｎ番目（ｎは予め設定されている数値）までの項目を、表示切換後の画面に透過表示させた状態で、切換先として指示された他の画面を表示部１５０に表示させる（Ｓ１７）。すなわち、表示制御部１０１は、図６（ｂ）に示すように、切換先の画面である第２画面Ｒ２を最上面として表示し、表示切換前の第１画面Ｒ１を非表示とし、上記のように設定値の変更された項目（新たな数値又は字句が入力されたセル等）は、その表示部分をワードプロセッサの画面Ｐ上に、透過表示部分Ｎ’として表示させる。
【００８６】
なお、上記第１及び第２実施形態では、表示制御部１０１は、設定値が変更された項目であって、当該画面表示切換時からみて過去に直近ｎ番目（ｎは予め設定されている数値）までの項目を、表示切換後の画面で透過表示させているが、(1)直近何番目までに設定値が変更された項目を表示させるかは、操作者による操作部１４０の操作で表示指示受付部１０３に受け付けられる数値に基づいて、適宜設定変更が可能となるようにしてもよい。また更には、(2)表示制御部１０１は、当該画面表示切換時から直近に設定値が変更された１つの項目のみを透過表示させてもよいし、(3) 当該画面表示切換時からみて過去に変更された全設定値の項目を全て透過表示させてもよい。
【００８７】
次に、本発明の第３実施形態に係る表示切換処理について説明する。図７は、表示切換処理の第３実施形態を示すフローチャートである。図８（ａ）（ｂ）（ｃ）は表示部１５０の画面表示例を示す図である。なお、上記図２及び図５を用いて説明した第１実施形態と同様の処理は同符号を付して説明を省略する。
【００８８】
上記第１及び第２実施形態では、表示制御部１０１が、表示切換前の画面で設定値が変更された項目の表示部分を、表示切り換え後の画面に透過表示させるようにしていたが、第３実施形態では、表示制御部１０１は、表示切換後の画面に対して透過表示させる表示切換前の画面における予め定められた特定箇所の情報を記憶しており、この特定箇所情報に基づいて、表示切換前の画面における予め定められた特定箇所を、表示切換後の画面に透過表示させる。
【００８９】
図７に沿って説明する。制御部１００が、例えば、ワードプロセッサと表計算ソフトの２つのアプリケーションを起動させており（Ｓ１）、上記図３に示すように、表示制御部１０１が表計算ソフトの画面Ｍを表示部１５０に表示させているとき（Ｓ２）、操作者による操作部１４０の操作で、アプリケーションの切り換え指示があると（Ｓ５でＹＥＳ）、表示制御部１０１は、上記特定箇所情報に基づいて、透過表示の対象箇所として予め定められている表示切換前の画面における箇所Ｍ’（図８（ａ））を特定し、当該箇所Ｍ’を切換先として指示された他の画面、例えばワードプロセッサの画面Ｐに透過表示させた状態で、当該他の画面を表示部１５０に表示させる（図８（ｂ），図７のＳ２４）。
【００９０】
この場合、表示制御部１０１は、表示切換前の表計算ソフトの画面Ｍが、ワードプロセッサの画面Ｐと重なって非表示となる部分に、上記予め定められた部分が存在する場合には、図８（ｂ）に示すように、上記透過表示を行わせるが、但し、表示制御部１０１は、表示切換前の表計算ソフトの画面Ｍが、ワードプロセッサの画面Ｐと重なって非表示となる部分に、上記予め定められた部分が存在しない場合には、図８（ｃ）に示すように、上記透過表示は行わず、ワードプロセッサの画面Ｐのみを表示部１５０に表示させる。
【００９１】
次に、本発明の第４実施形態に係る画面表示切換処理について説明する。図９は、画面表示切換処理の第４実施形態を示すフローチャートである。なお、上記第１〜第３実施形態と同様の処理は説明を省略する。
【００９２】
上記第３実施形態に係る画面切換表示制御では、表示制御部１０１が、異なるアプリケーションの画面を切換表示するが、第４実施形態に係る切換表示制御では、表示制御部１０１は、１つのアプリケーション内に設けられた複数の画面について表示切換を行う。
【００９３】
制御部１００が、例えば、単一のアプリケーション、例えば、表計算ソフトを起動させており（Ｓ１１）、上記の図６（ａ）に示すように、表示制御部１０１が第１画面Ｒ１を表示部１５０に表示させているときに（Ｓ１２）、操作者による操作部１４０の操作で、別の第２画面Ｒ２への切り換え指示があると（Ｓ１５でＹＥＳ）、表示制御部１０１は、表示切換前の画面Ｒ１における、自ら記憶している特定箇所情報に基づいて、透過表示の対象箇所として予め定められている箇所を特定し、当該特定した箇所を、切換指示された切換先となる第２画面Ｒ２に対して透過表示させた状態で、当該第２画面Ｒ２を表示部１５０に表示させる（Ｓ３４）。
【００９４】
次に、本発明の第５実施形態に係る表示切換処理について説明する。図１０は、表示切換処理の第５実施形態を示すフローチャート、図１１（ａ）（ｂ）は表示部１５０の画面表示例を示す図である。なお、上記第１〜第４実施形態と同様の処理は説明を省略する。
【００９５】
第３実施形態では、表示制御部１０１は、表示切換前の画面における予め定められた特定箇所を、表示切換後の画面に透過表示させるが、第５実施形態では、表示制御部１０１は、表示切換前のアプリケーション画面におけるデータを、移動処理又は複写処理により、切換表示後のアプリケーション画面で用いる場合、この切換表示後のアプリケーション画面上に、表示切換前のアプリケーション画面における移動処理又は複写処理の元となるデータの表示部分を、上記予め定められた特定箇所として透過表示させる。
【００９６】
図１０を用いて説明する。表示制御部１０１は、操作者による操作部１４０の操作で、アプリケーションの切り換え指示があると（Ｓ５でＹＥＳ）、切換指示されたアプリケーションの画面、例えばワードプロセッサの画面Ｐを表示部１５０に表示させる（Ｓ３５）。この切換表示後、表示制御部１０１は、図１１（ａ）に示すように、切換表示後の画面Ｐに、移動処理又は複写処理により表示切換前のアプリケーション画面のデータが貼り付けられたか否かを検出し（Ｓ３６）、移動処理又は複写処理により表示切換前のアプリケーション画面のデータＰ１が貼り付けられた場合には（Ｓ３６でＹＥＳ）、この時点では、切換表示後のアプリケーション画面（ワードプロセッサの画面Ｐ）に隠れて非表示となっている切換表示前のアプリケーション画面における移動処理又は複写処理の元となるデータの表示部分Ｍ１を、図１１（ｂ）に示すように、切換表示後のアプリケーション画面に対して透過表示させる（Ｓ３７）。
【００９７】
なお、この第５実施形態では、表示制御部１０１が、異なるアプリケーションの画面を切換表示する場合を例にして説明したが、表示制御部１０１が、１つのアプリケーション内に設けられた複数の画面について表示切換を行う場合であっても、同様の処理により、上記移動処理又は複写処理の元となるデータの透過表示が可能である。
【００９８】
また、第５実施形態では、表示制御部１０１が、移動処理又は複写処理の元となるデータを透過表示ものとして説明したが、上記表示切換前後の各画面において相互に関連性を有するデータであれば、移動処理又は複写処理の元となるデータでなくても、上記と同様の処理により、表示切換後の画面に対して透過表示させることが可能である。
【００９９】
次に、上記各実施形態で示した透過表示処理について、他の実施形態を説明する。図１２は、透過表示処理の第２実施形態を示すフローチャートである。なお、以下に示す各実施形態に係る透過表示処理は、図７に示す第３実施形態のＳ２４、図９に示す第４実施形態のＳ２４、図１０に示す第５実施形態のＳ３７を実行する際に適用される。
【０１００】
図１２を参照して説明する。表示制御部１０１は、透過表示処理を行う際、表示切換後の画面における透過表示処理の対象部分に、表示切換後の画面が表示すべきデータがあるか否かを判断する（Ｓ５１）。表示切換後の画面における透過表示処理の対象部分に、当該表示すべきデータがある場合（Ｓ５１でＹＥＳ）、表示制御部１０１は、上述した各透過表示を行わず、表示切換後の画面における上記表示すべきデータを優先的に表示させる（Ｓ５２）。
【０１０１】
一方、表示切換後の画面における透過表示処理の対象部分に、当該表示すべきデータがない場合は（Ｓ５１でＮＯ）、表示制御部１０１は、表示切換前の画面における上記予め定められた箇所を、表示切換後の画面に対して透過表示させる（Ｓ５３）。
【０１０２】
これにより、上記透過表示で得られる表示切換前の画面上のデータの確認及び取り扱いの利便性を確保しつつ、表示切換後の画面で表示される各種データについて、操作者に対する視認性を確保することができる。
【０１０３】
なお、この第２実施形態では、表示切換後の画面における透過表示処理の対象部分に、当該表示すべきデータがある場合に、表示制御部１０１が、上述した各透過表示を行わないようにしているが、表示切換後の画面における透過表示処理の対象部分に、当該表示すべきデータがない場合であっても、当該表示すべきデータが存在する領域近傍の一定範囲では、上述した各透過表示を行わないようにしてもよい。さらに、当該透過表示を禁止する一定領域は、操作者による操作部１４０の操作で入力される指示により、操作者が適宜設定変更可能となるようにしてもよい。
【０１０４】
次に、透過表示処理の第３実施形態を説明する。図１３は、透過表示処理の第３実施形態を示すフローチャートである。
【０１０５】
この第３実施形態では、表示制御部１０１は、各アプリケーション画面毎に、又は１つのアプリケーションに設けられた各画面毎に、他の画面に対する優先順位情報を記憶している。そして、図１３に示すように、透過表示処理を行う際に、表示制御部１０１は、表示切換前後の各画面の優先順位情報に基づいて（Ｓ６１）、表示切換前の画面の優先順位が、表示切換後の画面の優先順位よりも上位か否かを判断する（Ｓ６２）。
【０１０６】
表示制御部１０１は、表示切換前の画面の優先順位が、表示切換後の画面の優先順位よりも上位である場合には（Ｓ６２でＹＥＳ）、表示切換前の画面における上記予め定められた箇所を、表示切換後の画面に対して透過表示させる（Ｓ６４）。
【０１０７】
一方、表示制御部１０１は、表示切換前の画面の優先順位が、表示切換後の画面の優先順位よりも下位である場合には（Ｓ６２でＮＯ）、表示制御部１０１は、上述した各透過表示を行わず、表示切換後の画面を優先的に表示させる（Ｓ６３）。
【０１０８】
なお、表示制御部１０１が記憶する上記各画面毎の優先順位情報は、操作者による操作部１４０の操作で入力される指示により、操作者が適宜設定変更可能となるようにしてもよい。
【０１０９】
次に、透過表示処理の第４実施形態を説明する。図１４は、透過表示処理の第４実施形態を示すフローチャートである。
【０１１０】
この第４実施形態では、表示制御部１０１は、各アプリケーション画面毎に、又は１つのアプリケーションの各画面毎に、上記各透過表示を禁止する領域の情報を記憶している。そして、図１４に示すように、透過表示処理を行う際に、表示制御部１０１は、透過表示を禁止する領域の情報を読み出し、表示切換後の画面における当該透過表示の対象となっている箇所が、透過表示が禁止されている領域であるか否かを判断する（Ｓ７１）。
【０１１１】
表示制御部１０１は、表示切換後の画面における当該透過表示の対象となっている箇所が、透過表示が禁止されている領域である場合には（Ｓ７１でＹＥＳ）、表示制御部１０１は、上述した各透過表示を行わず、表示切換後の画面を優先的に表示させる（Ｓ７２）。
【０１１２】
一方、表示制御部１０１は、表示切換後の画面における当該透過表示の対象となっている箇所が、透過表示が禁止されている領域でない場合には（Ｓ７１でＮＯ）、表示切換前の画面における上記予め定められた箇所を、表示切換後の画面に対して透過表示させる（Ｓ７３）。
【０１１３】
なお、表示制御部１０１が記憶する上記透過表示を許可する領域の情報は、操作者による操作部１４０の操作で入力される指示により、操作者が適宜設定変更可能となるようにしてもよい。
【０１１４】
なお、本発明は上記実施の形態の構成に限られず種々の変形が可能である。例えば、上記各実施形態では、表示制御部１０１は、上記透過表示を、予め定められた時間だけ行うものとしているが、かかる制御を行わずに、表示切換後の画面が表示されている間中、当該表示切換後の画面において上記透過表示を行うようにしてもよい。
【０１１５】
また、上記各実施形態では、表示制御部１０１は、表示切換前の画面における予め定められた箇所を、表示切換後の画面において透過表示させるようにしているが、この予め定められた箇所は、位置や領域を示すものに限られず、予め定められた表示形態、例えば、太線、アンダーライン、所定色、所定のフォント、又は所定の大きさ等からなる文字や記号、数字等であってもよい。さらに、当該予め定められた表示形態は、操作者による操作部１４０の操作で入力される指示により、操作者が適宜設定変更可能となるようにしてもよい。
【０１１６】
また、上記実施形態では、図４、図６、図８、図１１に、表示制御部１０１による透過表示（透過させて表示）の例を示しているが、この透過表示は、画面が重なったときに、前の画面の表示と後の画面の表示が重なって表示することや、前の画面を表示せず、後の画面だけを透過させることを少なくとも含む意味である。
【０１１７】
また、上記実施形態では、本発明に係る電子機器の一実施形態をパーソナルコンピュータ１として説明したが、本発明に係る電子機器はパーソナルコンピュータに限られない。本発明に係る電子機器は、パソコン、携帯電話、PDA（Personal Digital Assistants）、デジタル時計、プリンタ、複写機、ファクシミリ、複合機、デジタルカメラ、TV、ビデオ、音楽プレーヤ、電子レンジ、冷蔵庫、ATM（Automated Teller Machine）、カーナビゲーション等を少なくとも含む意味であり、これらの電子機器に本発明を適用できることは言うまでもない。
【０１１８】
また、上記実施形態では、上記には本発明の一実施に係る表示制御プログラム、表示装置及び表示制御方法の構成及び制御を図１乃至図１４を用いて示したが、これらはあくまでも一例に過ぎず、本発明に係る表示制御プログラム、表示制御装置及び表示制御方法を、上述した構成及び制御に限定する趣旨ではない。
【図面の簡単な説明】
【０１１９】
【図１】本発明の一実施形態に係る表示制御プログラムがインストールされたパーソナルコンピュータ（以下、ＰＣ）の概略構成を示すブロック図である。
【図２】ＰＣによる画面表示切換処理の第１実施形態を示すフローチャートである。
【図３】表示部の画面表示例を示す図である。
【図４】表示部の画面表示例を示す図である。
【図５】表示切換処理の第２実施形態を示すフローチャートである。
【図６】（ａ）（ｂ）は表示部の画面表示例を示す図である。
【図７】表示切換処理の第３実施形態を示すフローチャートである。
【図８】（ａ）（ｂ）（ｃ）は表示部の画面表示例を示す図である。
【図９】画面表示切換処理の第４実施形態を示すフローチャートである。
【図１０】表示切換処理の第５実施形態を示すフローチャートである。
【図１１】（ａ）（ｂ）は表示部の画面表示例を示す図である。
【図１２】透過表示処理の第２実施形態を示すフローチャートである。
【図１３】透過表示処理の第３実施形態を示すフローチャートである。
【図１４】透過表示処理の第４実施形態を示すフローチャートである。
【符号の説明】
【０１２０】
１        パーソナルコンピュータ
１００    制御部
１０１    表示制御部
１０２    設定変更受付部
１０３    表示指示受付部
１０４    表示箇所受付部
１０５    範囲指定指示受付部
１０６    優先順位受付部
１０７    制御部
【図１】
2008165397.tif 000003
【図２】
2008165397.tif 000004
【図３】
2008165397.tif 000005
【図４】
2008165397.tif 000006
【図５】
2008165397.tif 000007
【図６】
2008165397.tif 000008
【図７】
2008165397.tif 000009
【図８】
2008165397.tif 000010
【図９】
2008165397.tif 000011
【図１０】
2008165397.tif 000012
【図１１】
2008165397.tif 000013
【図１２】
2008165397.tif 000014
【図１３】
2008165397.tif 000015
【図１４】
2008165397.tif 000016